(57)【特許請求の範囲】
【請求項１】
建物外周側に設けられた開口の上縁及び下縁に配置されたレールに沿ってスライド可能に挿嵌された窓サッシと、
この窓サッシの全閉状態でロック可能となり、ロック状態では窓サッシの開放が阻止される第１のロック手段と、
前記窓サッシの上縁及び下縁の少なくとも一方に設けられたロック部材と、このロック部材配設側のレールにおいて窓サッシが通風用に所定量だけ開放された部分開放位置に対応して設けられると共にロック部材が係合可能とされた被ロック部と、を備えた第２のロック手段と、
を有し、
前記レールは、前記窓サッシのサッシ枠が備える外枠と内枠との間に挿入状態で配置されていると共に、
前記被ロック部は、当該レールに設けられた開口又は切欠によって構成されており、
さらに、前記ロック部材は当該開口又は切欠に係合されてロック状態とされる、
ことを特徴とする防犯サッシ。
【請求項２】
前記ロック部材は鎌錠で構成されている、
ことを特徴とする請求項１記載の防犯サッシ。
【請求項３】
前記鎌錠は、前記開口又は切欠側へ向けて延出された爪部と、当該爪部と反対側に延出された係止部と、を含んで構成されており、
当該爪部が前記開口又は切欠に係合されてロック状態とされる、
ことを特徴とする請求項２記載の防犯サッシ。
【請求項４】
前記第２のロック手段は窓サッシの少なくとも下縁側に設定されており、
前記被ロック部は下縁側のレールに設けられる水抜用の開口又は切欠によって構成されている、
ことを特徴とする請求項１乃至請求項３のいずれか一項に記載の防犯サッシ。
【請求項５】
前記窓サッシは、内側サッシと外側サッシとを備えており、
前記第２のロック手段は、当該内側サッシの部分開放時に当該内側サッシが当該外側サッシと重なる範囲の所定位置に設けられている、
ことを特徴とする請求項１〜請求項４のいずれか一項に記載の防犯サッシ。
【発明の詳細な説明】
【技術分野】
【０００１】
本発明は、通風性と防犯性の双方を考慮した防犯サッシに関する。
【背景技術】
【０００２】
近年、防犯性を強化した住宅に対するニーズが高まっている。下記特許文献１には、サッシ等の引き違い建具において、通風性と防犯性の両立を目指した技術が開示されている。簡単に説明すると、この先行技術では、外側窓サッシのサッシ枠に本来のクレセント係合用の第１の受金具を設定すると共に、これよりも所定距離だけ横方向にずれた位置に第２の受金具を設定することにより、通風のために所定距離だけ部分開放させても内側窓サッシのクレセントが第２の受金具に係合することにより、ロック状態が維持されるというものである。
【特許文献１】特開平１０−３３１５０１
【発明の開示】
【発明が解決しようとする課題】
【０００３】
しかしながら、上記先行技術による場合、通風のため部分開放した場合、クレセントが第２の受金具に係合していることが外部から容易に解るため、ガラス破りによる侵入が容易であり、防犯性能としては不充分である。また、家屋への侵入手口としては、サッシ自体をレールから離脱させて侵入する手口があるが、クレセントだけではサッシ外しによる侵入を防ぐのは難しい。
【０００４】
本発明は上記事実を考慮し、通風性能の向上と防犯性能の向上の両立を図ることができる防犯サッシを得ることが目的である。
【課題を解決するための手段】
【０００５】
請求項１の発明に係る防犯サッシは、建物外周側に設けられた開口の上縁及び下縁に配置されたレールに沿ってスライド可能に挿嵌された窓サッシと、この窓サッシの全閉状態でロック可能となり、ロック状態では窓サッシの開放が阻止される第１のロック手段と、窓サッシの上縁及び下縁の少なくとも一方に設けられたロック部材と、このロック部材配設側のレールにおいて窓サッシが通風用に所定量だけ開放された部分開放位置に対応して設けられると共にロック部材が係合可能とされた被ロック部と、を備えた第２のロック手段と、を有し、前記レールは、前記窓サッシのサッシ枠が備える外枠と内枠との間に挿入状態で配置されていると共に、前記被ロック部は、当該レールに設けられた開口又は切欠によって構成されており、さらに、前記ロック部材は当該開口又は切欠に係合されてロック状態とされる、ことを特徴とする。
【０００６】
請求項２の発明に係る防犯サッシは、請求項１記載の防犯サッシにおいて、前記ロック部材は鎌錠で構成されている、ことを特徴とする。
【０００７】
請求項３の発明に係る防犯サッシは、請求項２記載の防犯サッシにおいて、前記鎌錠は、前記開口又は切欠側へ向けて延出された爪部と、当該爪部と反対側に延出された係止部と、を含んで構成されており、当該爪部が前記開口又は切欠に係合されてロック状態とされる、ことを特徴とする。
【０００８】
請求項４の発明は、請求項１乃至請求項３のいずれか一項に記載の防犯サッシにおいて、前記第２のロック手段は窓サッシの少なくとも下縁側に設定されており、前記被ロック部は下縁側のレールに設けられる水抜用の開口又は切欠によって構成されている、とする。
【０００９】
請求項５の発明は、請求項１乃至請求項４のいずれか一項に記載の防犯サッシにおいて、前記窓サッシは、内側サッシと外側サッシとを備えており、前記第２のロック手段は、当該内側サッシの部分開放時に当該内側サッシが当該外側サッシと重なる範囲の所定位置に設けられている、ことを特徴とする。
【００１１】
請求項１記載の本発明によれば、窓サッシは開口の上縁及び下縁に配置されたレールに沿ってスライド可能に挿嵌されており、全閉状態にされると、第１のロック手段によって施錠することができる。第１のロック手段によって施錠されると、窓サッシの開放が阻止される。
【００１２】
一方、通風のために窓サッシを所定量だけ部分開放させた際には、第１のロック手段による施錠状態は解除されているので、何も設けていなければ、窓サッシは建物外部から容易に開放可能であるが、本発明では、窓サッシの上縁及び下縁の少なくとも一方に第２のロック手段の一部を成すロック部材が設けられており、ロック部材配設側のレールには部分開放位置に対応して被ロック部が設けられているため、ロック部材を被ロック部に係合させることにより、部分開放時にも窓サッシを施錠することができる。従って、侵入者の建物内への侵入を阻止することができる。
さらに、本発明では、窓サッシのサッシ枠が備える外枠と内枠との間にレールが挿入状態で配置されている。そして、被ロック部が当該レールに設けられた開口又は切欠によって構成され、ロック部材が開口又は切欠に係合されてロック状態とされるようになっている。
【００１８】
請求項２記載の本発明によれば、ロック部材は鎌錠で構成されており、前述したように被ロック部はレールに設けられた開口又は切欠によって構成されているため、鎌錠が開口に係合され又は切欠の側壁に干渉することにより、部分開放時のロック状態が維持される。特に、鎌錠と開口との組合わせの場合、窓サッシ外しによる侵入手口に対しても充分な抗力を発揮する。
【００１９】
請求項４記載の本発明によれば、第２のロック手段は窓サッシの少なくとも下縁側に設定されており、被ロック部は下縁側のレールに設けられる水抜用の開口又は切欠によって構成されているので、既存の構成要素である水抜用の開口等を使って第２のロック手段によるロック状態を実現することができる。
請求項５記載の本発明によれば、内側サッシの部分開放時に内側サッシが外側サッシと重なる範囲の所定位置に第２のロック手段が設けられているので、第２のロック手段は外側サッシの下縁の奥側に位置される。従って、第２のロック手段を外側サッシの下縁によって隠すことができる。
【発明の効果】
【００２０】
以上説明したように、請求項１記載の本発明に係る防犯サッシは、通風性能の向上と防犯性能の向上の両立を図ることができるという優れた効果を有する。
【００２５】
請求項４記載の本発明に係る防犯サッシは、水抜用の開口等を利用して被ロック部を成立させることができるので、構造の簡素化を図ることができるという優れた効果を有する。
請求項５記載の本発明に係る防犯サッシは、より一層防犯性能の向上を図ることができるという優れた効果を有する。
【発明を実施するための最良の形態】
【００２６】
以下、図１〜図４を用いて、本発明に係る防犯サッシの一実施形態について説明する。
【００２７】
図１には、本実施形態に係る防犯サッシ１０を室内側から見た正面図が示されている。この図に示されるように、住宅１２の外周部には開口１４が形成されており、かかる開口１４の上縁及び下縁に上レール１６及び下レール１８（図２参照）が敷設されている。そして、これら上レール１６及び下レール１８に引き違い式の防犯サッシ１０がスライド可能に挿嵌されている。
【００２８】
防犯サッシ１０は内側サッシ２０及び外側サッシ２２を備えている。内側サッシ２０の戸先及び外側サッシ２２の戸先には、第１のロック手段としてのメインロック２４がそれぞれ配設されている。メインロック２４は内側サッシ２０、外側サッシ２２が閉止状態とされたときにのみ、開口１４の周縁部に形成された図示しない被ロック部に係合可能とされている。
【００２９】
また、内側サッシ２０の縦框２６の上端部及び下端部には、第２のロック手段としてのサブロック２８がそれぞれ設けられている。サブロック２８については後に詳述することにする。図１（Ｂ）に示される状態が、内側サッシ２０の部分開放時の状態である。図面上は部分開放量Ａを多めに描いているが、実際には人間が侵入不可能とされる２５０ｍｍ以下に設定されている。
【００３０】
図３には、下側のサブロック２８の縦断面図（図１（Ｂ）の３−３線断面図）が示されている。この図に示されるように、内側サッシ２０のサッシ枠３０は所定の間隔を隔てて平行に配置された外枠３０Ａと内枠３０Ｂとを備えており、両者の間に下レール１８が挿入状態で配置されている。下レール１８には、図１（Ｂ）の３−３線の断面線の位置（即ち、部分開放時に内側サッシ２０の縦框２６と対向する位置）に水抜用の開口３１が形成されている。
【００３１】
一方、下レール１８と内枠３０Ｂとの間にはサブロック２８の主要部を構成する鎌錠３２が支軸３４回りに揺動可能に配置されている。鎌錠３２は、支軸３４に軸支される円筒状のボス部３２Ａと、このボス部３２Ａの外周部から接線方向（下レール１８の開口３１側）へ向けて延出される爪部３２Ｂと、爪部３２Ｂと反対側に延出された係止部３２Ｃと、を含んで構成されている。爪部３２Ｂは開口３１に係合可能な幅と長さに設定されている。また、係止部３２Ｃには長孔３６が形成されている。この長孔３６には、棒状の連結部材３８の下端部が係止されている。連結部材３８の上端部は室内側へ屈曲されて、内枠３０Ｂに形成された上下方向に長い長孔４０を貫通している。貫通端部には、操作レバー４２が設けられており、長孔４０に沿って矢印Ｂ方向へ上下動可能とされている。なお、操作レバー４２と長孔４０との取り合いは、図３図示のものに限らず、図４に示される例を採用してもよい。すなわち、内枠３０Ｂに形成された長孔（図示省略）を上下に長い操作ノブ４３で隠すように配置して、内枠３０Ｂに沿って矢印Ｂ方向へスライドさせる構成を採ってもよい。また、鎌錠３２は支軸３４に巻装された捩じりコイルスプリング等の付勢手段によって常時ロック方向へ回転付勢されている。この場合は、ロック解除時に操作レバー４２を引き上げることになる。これ以外にも、鎌錠３２を支軸３４に摩擦係合させておき、操作レバー４２を上下動させることによりロック及びアンロックの操作を行うようにしてもよい。この場合は、付勢手段は不要である。
【００３２】
なお、内側サッシ２０の縦框２６の上端部に設けられたサブロック２８の構造も上記と同様とされている（図２参照）。
【００３３】
また、図１（Ａ）、（Ｂ）に示されるように、内側サッシ２０の全閉時及び部分開放時に、サブロック２８がロック可能となる。この状態では、図３に示されるように、鎌錠３２は、内側サッシ２０のサッシ枠３０の外枠３０Ａによって建物外部から隠蔽された状態になっている。加えて、外側サッシ２２のサッシ枠４４の上縁部及び下縁部が上下のサブロック２８の外側に配置されるので、鎌錠３２は外側サッシ２２のサッシ枠４４によって二重に見えないようになっている。なお、ここでは内側サッシ２０の全閉時及び部分開放時の双方においてサブロック２８がロック可能となるとしたが、内側サッシ２０の部分開放時にのみサブロック２８がロック可能となるようにしてもよい。この場合には、内側サッシ２０の全閉時のロック状態はメインロック２４によって担保される。
【００３４】
（作用・効果）
次に、本実施形態の作用並びに効果について説明する。
【００３５】
図１（Ａ）に示される状態が、引き違い式の防犯サッシ１０の全閉状態である。この状態では、メインロック２４及びサブロック２８の双方を施錠状態とすることができる。従って、建物外部から侵入者が防犯サッシ１０を開放させることはできない。
【００３６】
一方、図１（Ｂ）に示されるように、通風のために内側サッシ２０を所定量Ａだけ部分開放させた際には、外側サッシ２２のメインロック２４による施錠状態は維持されているが、内側サッシ２０のメインロック２４による施錠状態は解除されている。従って、何も設けていなければ、内側サッシ２０は建物外部から容易に開放可能である。
【００３７】
しかし、本実施形態では、内側サッシ２０の縦框２６の上端部及び下端部にサブロック２８の鎌錠３２を設けており、上レール１６及び下レール１８における所定量Ａに対応する位置に開口３１を形成しているので、操作レバー４２を下げて鎌錠３２を開口３１に係合させてロック状態とすることができる。従って、内側サッシ２０の部分開放時にも、内側サッシ２０を施錠することができる。しかも、この鎌錠３２はサッシ枠３０の内部に挿入状態で配置された上レール１６及び下レール１８との関係において施錠及び開錠するので、サッシ枠３０の外枠３０Ａによって隠蔽される。従って、サブロック２８は建物外部から視認不能といってもよく、外部から侵入者がサブロック２８の位置を把握することはできない。よって、侵入者の建物内への侵入を阻止することができる。その結果、本実施形態によれば、引き違い式の防犯サッシ１０において、通風性能の向上と防犯性能の向上の両立を図ることができる。なお、錠前が外部から視認できない構造になっているため、建物の開口１４の周りの意匠性を良好に保つことができる。
【００３８】
また、本実施形態では、前記のように、引き違い式の防犯サッシ１０において、サブロック２８が内側サッシ２０の部分開放時に内側サッシ２０が外側サッシ２２と重なる（ラップする）範囲に設けられているので、サブロック２８は外側サッシ２２のサッシ枠４４の奥側に位置される。従って、サブロック２８はサッシ枠３０の外枠３０Ａによって元々建物外部から視認不能ではあるが、更に外側サッシ２２のサッシ枠４４によってもサブロック２８が隠蔽されるので、サブロック２８を重畳的に隠すことができる。従って、引き違い式の防犯サッシ１０において、より一層防犯性能の向上を図ることができる。
【００３９】
さらに、本実施形態では、サブロック２８のロック部材が鎌錠３２で構成されており、被ロック部が上レール１６及び下レール１８に設けられた開口３１によって構成されているため、サッシ外しによる侵入手口に対しても充分な抗力を発揮し、防犯性能を強化することができる。
【００４０】
また、本実施形態では、上レール１６及び下レール１８に開口３１を形成したが、下レール１８の開口３１は水抜用の開口として元々あるものを利用することができるため、構造の簡素化を図ることができる。
【００４１】
〔本実施形態の補足説明〕
以下に、本実施形態の補足説明をする。
【００４２】
（１）  本実施形態では、一般住宅に対して本発明を適用したが、これに限らず、他の用途（商業的用途、工業的用途、農業的用途、福祉施設・公共施設等の非営利目的の行政的用途を含む）に対して本発明を用いてもよい。
【００４３】
（２）  本実施形態では、上レール１６及び下レール１８に被ロック部としての開口３１を形成したが、これに限らず、切欠を形成してもよい。
【００４４】
（３）  本実施形態では、第２のロック手段として鎌錠３２を利用し、そうすることによりサッシ外しによる防犯性能を向上させたが、これに限らず、鎌錠以外の錠前を適用してもよい。
【００４５】
（４）  本実施形態では、第１のロック手段としてメインロック２４を内側サッシ２０、外側サッシ２２の戸先に設けたが、これに限らず、戸先以外の部位に第１のロック手段を設定してもよい。
【００４６】
（５）  本実施形態では、防犯サッシ１０の上縁及び下縁の双方にサブロック２８を設定したが、これに限らず、いずれか一方だけにサブロックを設定してもよい。
【００４７】
（６）  本実施形態では、引き違い式の防犯サッシ１０に対して本発明を適用したが、これに限らず、片引き式の防犯サッシに対して本発明を適用してもよい。
【図面の簡単な説明】
【００４８】
【図１】本実施形態に係る防犯サッシを室内側から見た正面図であり、（Ａ）は全閉時の状態を示しており、（Ｂ）は通風のための部分開放時の状態を示している。
【図２】上下のレールとそれぞれに設けられたサブロックの要部を示す拡大斜視図である。
【図３】サブロックの構成を示す図１の３−３線断面図である。
【図４】操作レバーに替えて操作ノブを用いた構成を示す室内側から見た斜視図である。
【符号の説明】
【００４９】
１０    防犯サッシ
１２    住宅（建物）
１４    開口
１６   上レール
１８   下レール
２０   内側サッシ（窓サッシ）
２２   外側サッシ（窓サッシ）
２４   メインロック（第１のロック手段）
２８   サブロック（第２のロック手段）
３０ サッシ枠
３０Ａ 外枠
３０Ｂ 内枠
３１   開口（被ロック部）
３２   鎌錠（ロック部材）
３２Ｂ 爪部
３２Ｃ 係止部
【図１】
0004595876.tif 000002
【図２】
0004595876.tif 000003
【図３】
0004595876.tif 000004
【図４】
0004595876.tif 000005